(57)【要約】【課題】本発明は、浴槽等を特に改装する必要がなく、安価かつ手軽に既存の浴槽に導入でき、入浴者自身が体の異常を感じた際に溺死を回避することができる排水具を提供することを第一の目的とする。第二に異常が発生していることを浴室外部に通報する手段を備えた排水具を提供することを目的とする。【解決手段】本発明は、入浴中身体に異常が発生した際に緊急で湯の排水を行う排水具であって、把持部と、排水栓と結合する結合部と、前記把持部と前記結合部を連結する連結部と、により構成され、前記把持部は浮体であり、かつ、入浴者の手で把持することが容易な形状であること、を特徴とする。また、前記把持部が浴室外部に異常を報知するための警報手段を備えたこと、を特徴とする。【選択図】          図１
2015200060.tif 000002
【特許請求の範囲】
【請求項１】
入浴中身体に異常が発生した際に緊急で浴槽の湯または水の排水を行う排水具であって、
把持部と、
排水栓と結合する結合部と、
前記把持部と前記結合部を連結する連結部と、
により構成され、
前記把持部は浮体であり、かつ、入浴者の手で把持することが容易な大きさ及び形状であること、
を特徴とする入浴時緊急排水具。
【請求項２】
前記把持部の形状が輪形状であること、
を特徴とする請求項１に記載した入浴時緊急排水具。
【請求項３】
前記結合部が排水栓に着脱可能であること、
を特徴とする請求項１または請求項２に記載した入浴時緊急排水具。
【請求項４】
前記連結部が紐状体で形成されていること、
を特徴とする請求項１から請求項３のいずれか１項に記載した入浴時緊急排水具。
【請求項５】
前記紐状体が少なくとも１個の吸着盤を移動自在に備えたこと、
を特徴とする請求項４に記載した入浴時緊急排水具。
【請求項６】
前記把持部が前記把持部の位置および向きを固定する支持具を備えたこと、
を特徴とする請求項４に記載した入浴時緊急排水具。
【請求項７】
前記把持部が浴室外部に異常を報知するための警報手段を備えたこと、
を特徴とする請求項１から請求項６のいずれか１項に記載した入浴時緊急排水具。
【請求項８】
前記把持部が浴室外部に異常を通報するための送信手段を備えたこと、
を特徴とする請求項１から請求項７のいずれか１項に記載した入浴時緊急排水具。
【発明の詳細な説明】
【技術分野】
【０００１】
本発明は、入浴時体調が急変したような場合に頭部が水中に沈み溺死することを浴槽の湯を速やかに排水することによって防止する入浴時緊急排水具に関する。
【背景技術】
【０００２】
高齢化により、浴槽内で水没して溺死する事故が増加している。これを防止するために下記の提案がなされてきた。
【０００３】
特許文献１には、浴槽の面台部分に吸着盤で押しボタンスイッチを取り付け、浴室内での緊急事態発生をブザーで通報し、事故を未然に防ぐ緊急ブザー付き警報器が開示されている。
【０００４】
特許文献２には、入浴中の何らかの原因による意識喪失で頭部が湯面に触れるのを浮輪及びシートで防ぎ、さらに意識が薄れかかった時にシートの裏面に装着されている警報装置を操作することで家人に緊急を知らせる入浴中の溺死予防枕つき保温シートが開示されている。
【０００５】
特許文献３には、ペンダント型の本体に、本体が水没したことを検出する水没検出手段を備え、頭部が水没したことを確認することができ、浴室外部に通報できる人体状態検出装置及び人体状態確認システムが開示されている。
【０００６】
特許文献４には、浴槽内に入浴者の心拍信号を検出するための心拍電極を備え、計測装置によって計測された心拍数に異常があると判別されたとき、台所リモコンおよび浴室リモコンにおいて異常報知させ、浴槽内に給湯を行うための給湯装置で排水を行う浴室システムが開示されている。
【先行技術文献】
【特許文献】
【０００７】
【特許文献１】実登３０４０７６１号公報
【特許文献２】特開２００６−１５０００５号公報
【特許文献３】特開２００２−１４０７７６号公報
【特許文献４】特開２００４−２７５３４７号公報
【発明の概要】
【発明が解決しようとする課題】
【０００８】
ブザー等の警告音を浴室内で発生させることにより浴室外部の人間に通報のみ行う技術では、入浴時浴室は閉じられた空間となっているため警報音が浴室外部の人間に届かない場合があり、救助が遅れる問題があった。
【０００９】
独居高齢者が溺水の状態に陥っている居宅から離れた場所に送信手段を用いて通報のみを行う技術では、救助のための到着に時間がかかり過ぎる問題があった。
【００１０】
頭部が沈水することを防ぐ浮き輪やシートでは、直ちに溺死することはないが、入浴者が意識を取り戻すか、他の人間が異常の発生に気づくまで、湯に浸かったまま適切な処置を行うことができない問題があった。また、浮き輪やシートに警報装置が装着されているものでは、操作のためのスイッチが首周辺に配設されるため、視認しづらく操作し辛い問題があった。
加えて、人体に浮き輪やシートを装着することでリラックスでき辛い上に体を洗う際には取り外さなければならず手間である問題があった。
【００１１】
人体にセンサを装着し体調不良を検出するシステムでは、入浴中はリラックスすることを望まれているにもかかわらず、人体にセンサを装着することでリラックスでき辛い上に体を洗いにくい問題があった。また、異常時に排水を行う装置では、排水のための装置を浴槽に新たに取り付ける必要があり、多額の費用が必要となる問題があった。
【００１２】
浴槽に心拍信号を検出するための電極を備え、給湯装置のリモコンを使用して報知し、給湯装置で排水を行うシステムでは、人体にセンサを装着することによる問題は発生しないが、浴槽および給湯装置の改装を伴い、非常に多額の費用が必要となる問題があった。
高齢化社会の到来で独居高齢者が増加しているが、高齢者にとって、これらの費用を支払うことは相当の負担を強いられる問題があった。
【００１３】
これらの問題を解決する最も簡単な方法は、浴槽内の湯を速やかに排水してしまうことである。体調の異変が生じても、浴槽の湯を抜いた状態でしばらくすると自然に意識が回復したり、寒さで気が付いたりする場合があり、溺死を原因として死亡する確率は格段に低くなる。
浴槽の湯を抜くためには、体調の異変に気付いた際、浴槽の側面に連結鎖を介して接続された排水栓を、連結鎖を引っ張ることにより排水口から取り外そうとすることが考えられる。
しかし、浴槽の排水栓は、給水栓あるいは追い焚き循環口が備えられている側面寄りの底面に通常配置されている。入浴者は熱湯が上半身に触れることを避けるために、あるいは、排水栓に臀部が触れ痛むことを避けるために排水栓の側に足を置き前記の追い焚き循環口に対面して着座することが多い。このため、異常発生時には排水栓に接続された連結鎖を手で引っ張り排水栓を排水口から外し取るには体を前屈させるなどして手を伸ばさなければ届かない位置に鎖があり、着座したままでは素早く排水栓を取り外すことが容易でない問題があった。
また、鉛直真上方向から排水栓に接続された連結鎖を引っ張る場合、水圧により排水栓が引っ張りにくく、特に力の弱い高齢者には困難を伴う。
【００１４】
本発明は、上記問題を解決し、浴槽等を特に改装する必要がなく、安価かつ手軽に既存の浴槽に導入でき、入浴者自身が体の異常を感じた際に素早く排水栓を排水口から外し、浴槽から湯を抜いて溺死を回避することができる排水具を提供することを第一の目的とする。第二に異常が発生していることを浴室外部に通報する手段を備える排水具を提供することを目的とする。
【課題を解決するための手段】
【００１５】
上記課題を解決するため、本発明の入浴時緊急排水具は、入浴中身体に異常が発生した際に緊急で浴槽の湯または水（以下、湯とする。）の排水を行う排水具であって、把持部と、排水栓と結合する結合部と、前記把持部と前記結合部を連結する連結部と、により構成され、前記把持部は浮体であり、かつ、入浴者の手で把持することが容易な大きさおよび形状であること、を特徴とする。
【００１６】
本発明の入浴時緊急排水具は、前記把持部の形状が輪形状であること、を特徴とする。
【００１７】
本発明の入浴時緊急排水具は、前記結合部が排水栓に着脱可能であること、を特徴とする。
【００１８】
本発明の入浴時緊急排水具は、前記連結部が紐状体で形成されていること、を特徴とする。
【００１９】
本発明の入浴時緊急排水具は、前記紐状体が少なくとも１個の吸着盤を移動自在に備えたこと、を特徴とする。
【００２０】
本発明の入浴時緊急排水具は、前記把持部が前記把持部の位置および向きを固定する支持具を備えたこと、を特徴とする。
【００２１】
本発明の入浴時緊急排水具は、前記把持部が浴室外部に異常を報知するための警報手段を備えたこと、を特徴とする。
【００２２】
本発明の入浴時緊急排水具は、前記把持部が浴室外部に異常を通報するための送信手段を備えたこと、を特徴とする。
【発明の効果】
【００２３】
本発明の入浴時緊急排水具によれば、咄嗟に把持できるように浴槽中の上半身に近い湯面または水面（以下、湯面とする。）に本発明にかかる入浴時緊急排水具の把持部を浮かせておくことにより入浴者自身が体の異常を感じた際に素早く排水栓を排水口から外すことができる効果を奏する。
【００２４】
また、浴槽底面の排水栓側に足を置き側面の追い焚き循環口に対面して着座した場合、排水栓を鉛直上方向から水平方向に適当な角度に傾けて力を加えることができ、鉛直上方向から排水栓に加える力よりも少ない力で排水栓を排水口から外せる効果を奏する。
【００２５】
本発明の入浴時緊急排水具によれば、結合部と排水栓が着脱可能であるため、掃除あるいは不必要な場合には容易に取り外すことができる。
【００２６】
本発明の入浴時緊急排水具によれば、連結部が棒状体で形成される場合には、引くだけでなく押すことによっても排水栓を排水口から外すことができる。
【００２７】
連結部を棒状にして把持部を一体化することもできる。この場合、把持部は浮力により湯面上に留まり、かつ、結合部から直線上に一定距離の位置に存することとなる。つまり、把持部は結合部を中心点として湯面上に円を描く軌跡上を移動することとなる。
連結部の長さを調整することによって、把持部を入浴者が比較的把持しやすい一定範囲に留めることができる効果を奏する。
【００２８】
本発明の入浴時緊急排水具によれば、連結部が紐状体で形成される場合には、体に触れた際には変形し、接触することによるストレスが少ない効果を奏する。
【００２９】
本発明の入浴時緊急排水具によれば、吸着盤を上半身に近い浴槽内側面に吸着させることにより、咄嗟に把持できる場所に常に把持部を配置して浮かせておくことができる効果を奏する。
【００３０】
浴槽内側面に吸着盤を取り付けて、引っ張った際の紐状体の連結部と浴槽底面との成す角度が少ない力で排水栓が排水口から外れる角度となるよう設定できる効果を奏する。
【００３１】
浴槽内側面に吸着盤を取り付けることにより、吸着盤を支点にして把持部に対し押し下げる方向に力を加えて、上向きに把持部を引くより容易に排水栓を排水口から外すことができる効果を奏する。
【００３２】
把持部の位置及び向きを固定する支持具を備えることにより、入浴者が異常を感じたときにすぐに把持部を把持することが可能である効果を奏する。
その向きが変わらないことから、輪状の把持部の場合であっても横向きに把持しなければならないようなケースは生じない。常に手を真っ直ぐに出して把持すれば良い。
【００３３】
把持部が浴室外部に異常を報知するための警報手段を備えたことにより、排水動作の際に警報音により浴室外部の人間に緊急の事態が発生したことを報知できる効果を奏する。
【００３４】
把持部が浴室外部に異常を通報するための送信手段を備えたことにより、排水動作の際に送信手段により浴室外部あるいは浴室のある建物から離れた場所に通報することができる効果を奏する。
【００３５】
把持部が浴室外部に異常を通報するための警報手段と送信手段とを備えたことにより、把持部が水没し警報音の音量が小さくなってしまった場合、送信手段により浴室外部に通報することができる効果を奏する。
【００３６】
排水栓の取外し手段と浴室外部に報知する手段の２重の安全対策を有する効果を奏する。
【００３７】
新たに設置工事を行うことなく容易に導入できて、かつ、非常に安価に溺死事故対策を施すことができる効果を奏する。
【図面の簡単な説明】
【００３８】
【図１】本発明にかかる入浴時緊急排水具１を示した斜視図である。
【図２】本発明にかかる入浴時緊急排水具１を排水栓８１に結合させた状態を示した斜視図である。
【図３】本発明にかかる入浴時緊急排水具１を湯の張った浴槽７０に配した状態を示した斜視図である。
【図４】本発明にかかる入浴時緊急排水具１の把持部２を湯面７９に浮かべた状態を示した斜視図である。
【図５】本発明にかかる入浴時緊急排水具１に吸着盤７を備え、把持部２の移動を制限した状態を示した斜視図である。
【図６】本発明にかかる入浴時緊急排水具１を使用して排水栓８１を排水口８６から外す状態を示した図である。
【図７】警報・送信信号発生操作部２０を備えた本発明にかかる入浴時緊急排水具１の把持部２を示した図である。
【図８】把持部２に警報・送信手段を備えた本発明にかかる入浴時緊急排水具１のブロック図である。
【発明を実施するための形態】
【００３９】
本発明にかかる入浴時緊急排水具１について図を参照して説明する。
【００４０】
図１は本発明にかかる入浴時緊急排水具１を示した斜視図である。
図２は本発明にかかる入浴時緊急排水具１を排水栓８１に結合させた状態を示した斜視図である。
入浴時緊急排水具１は、把持部２と、連結鎖結合具８４を介して排水栓８１と結合する結合部４と、前記把持部２と前記結合部４とを連結する連結部３と、から構成される。
入浴時に体調が急変したような場合に、把持部２を握り排水口８６から排水栓８１が脱する方向に力を加えることによって、排水栓８１を排水口８６から取り外し浴槽７０の湯を速やかに排水して湯中に頭部が沈み溺死することを防止する。
【００４１】
把持部２は、浮体である。浮体とは、浮力によって湯あるいは水面に浮かんでいる物体をいう。
例えばプラスチックなどの合成樹脂部材あるいは木材で形成する。上半身に近い湯面７９に本発明にかかる入浴時緊急排水具１の把持部２を浮かせておけば入浴者自身が体の異常を感じた際に素早く把持できる。また、木材を使用した場合には、木の香りが浴室内に広がりリラックス効果を増進させる付加効果を生じる。
なお、湯に浮けば、前記の部材に限定されるものではない。
【００４２】
把持部２は、緊急時であっても直ちに入浴者の手で把持することが容易な大きさおよび形状に形成する。図では、輪形状に形成した把持部２を示した。通常、輪形状のものを握る動作は人差し指、中指、薬指および小指を輪内部の空間に挿通させて、前記４本指を挿通させた側の反対側から親指で前記４本指の人差し指側より押えることで行う。したがって、多くの人間にとって指を挿通させ易くするために、輪内部の空間は前記４本指を挿通させた状態であっても余裕のある大きさに形成する。輪形状の太さは、平均的な手の大きさを有する人間が指先から第３関節までで握れる程度の大きさに形成する。上記により相当手の小さい人間であったとしても、手のひらまでを使えば把持することができる。
【００４３】
図１では、把持部２の形状は楕円の輪形状を示したが、多角形の輪形状でもよい。
また、輪形状でなくとも、球、円柱あるいは多角形の平板などであって手のひらに収まりよく握りやすいものであればよい。
【００４４】
結合部４は、例えば図１に示したような着脱可能な構造を有する。本実施の形態においては、いわゆるナスカンを示した。開閉つまみ６を結合部４の長軸方向に滑らせることにより開閉軸５を移動させて、結合部４の輪の開閉を切り替えるよう構成されている。開閉軸５の開閉を行う端と反対の端の結合部４内部には開閉軸５が通常は閉の状態になるように弾性部材が備わっている。
【００４５】
入浴時緊急排水具１を排水栓８１に装着する手順について図２を参照して説明する。
通常、排水栓８１には連結鎖８２と連結させるために浴槽７０内面側中央に結合穴８５が備わっており、結合穴８５にコイル形状に形成された金属製の連結鎖結合具８４が取り付けられている。
連結鎖８２は、通常浴槽７０内側面上部に配設された固定具８３に接続される。
まず、結合部４の開閉つまみ６を連結部３方向に滑らせて、開閉軸５を結合部４内部に収納し結合部４の輪を開状態にする。
次に、結合部４の輪の開かれた部分から連結鎖結合具８４のコイルを通し入れて開閉軸５を閉の状態に戻して図２の状態に結合する。
取外しの際は、開閉軸５を開の状態にし、結合部４の輪の開かれた部分から連結鎖結合具８４のコイルを取り外す。
結合部４と排水栓８１が着脱可能であるため、掃除あるいは不必要な場合には容易に取り外すことができる。
【００４６】
結合部４は、ナスカンに限らず、着脱可能なスナップフックあるいはカニカンであってもよい。
また、取外しに若干の手間を要するが、連結鎖結合具８４のような金属製のコイルでもよい。
【００４７】
連結部３は、輪形状の把持部２の手で握る側と反対側の外側に結合する。排水を行う際に効率よく力を伝えることができるからである。
【００４８】
連結部３を棒状体にした場合には、押すあるいは引っ張る両方向に力を加えることで排水栓８１を排水口８６から外すことができる。
連結部３を棒状体にして把持部２を一体化することもできる。この場合、把持部２は浮力により湯面７９上に留まり、かつ、結合部４から直線上に一定距離の位置に存することとなる。つまり、把持部２は結合部４を中心点として湯面７９上に円を描く軌跡上を移動することとなる。
連結部３が棒状体の場合は、棒状体が伸縮可能なように構成される。
連結部３と結合部４を回転自在に結合し、かつ、連結部を伸縮自在にすることで、伸縮により入浴者からの遠近距離を自由に調整でき、把持部２を入浴者が比較的把持しやすい一定範囲に留めることができる。
伸縮可能な連結部３は伸縮自在のロッドアンテナのごとく太い棒状体の内部に細い棒状体を入れ子状にすることにより、適宜長さの調整をすることができるように構成される。
また、連結部３と結合部４の回動を上下のみ自在とし、左右への回動をできなくすることで、排水栓８１から対向する遠方への一直線上の１点に把持部２の位置を決定することが可能となる。
【００４９】
連結部３は、紐状体で形成されるのが好適である。紐状体は身体に触れた際に柔軟に変形し入浴の妨げにならない。紐状体の場合は引っ張る方向に力を加えることで排水栓８１を排水口８６から外すことができる。
連結部３が紐状体の場合は、長さを調節可能なように構成される。例えば、連結部３は把持部２および結合部４、あるいはいずれか一方で着脱可能とし、取り外した側の長さを変更し再度取り付ける。
着脱のために前記のナスカン、スナップフックあるいはカニカンを採用してもよい（不図示）。
材質は把持部２の浮力の妨げにならなければ限定されるものではない。ただし、湯水に対して耐久性を有する材質でなければならない。
【００５０】
図３は、本発明にかかる入浴時緊急排水具１を湯の張った浴槽７０に配した状態を示した斜視図である。
【００５１】
通常、浴槽７０は浴槽７０短手内側面７２に追い焚き循環口８７が配設され、追い焚き循環口８７に近い浴槽底面７３に排水栓８１が配設されている。
浴槽７０内で入浴者は、排水栓８１側の浴槽底面７３に足を置き追い焚き循環口８７に対面して着座することが多い。
把持部２は、追い焚き循環口８７から離れた上半身に近い場所に配置する必要がある。緊急の際に速やかに握るためである。
したがって、連結部３の長さが重要となる。連結部３が短すぎた場合には緊急の際に速やかに把持部２を握ることができず、排水することができない。また一方で、連結部３が長すぎた場合には緊急の際に把持部２を長い距離引っ張らなければ排水栓８１を外すことができない。
連結部３の長さは、把持部２を胸の前の湯面７９に配置でき、排水のために力を加えてから排水栓８１が外れるまでの両手または片手の移動距離が可能な限り短くなるように設定する。
最も短い連結部３の長さは、把持部２から結合部４までの間を直線で結ぶものであるが、入浴時の妨げとなる可能性があるため、排水のために行う手の動作距離が２０〜３０ｃｍ程度に設定されるのが好ましい。
なお、連結部３の長さは入浴者の負担になるものでなければ、これに限定されるものではない。
【００５２】
図４は、本発明にかかる入浴時緊急排水具１の把持部２を湯面７９に浮かべた状態を示した斜視図である。
【００５３】
把持部２が湯面７９より上方から視認できるように配置する。図４に示すように、輪中央部の空間がすべて視認可能に把持部２全体が横たわって湯面７９に浮かぶことが好ましい。一部あるいは全体が湯面７９下にある場合には、湯面７９下が光の屈折により歪んで見えるため緊急時に速やかに握れない可能性がある。
【００５４】
図５は、本発明にかかる入浴時緊急排水具１に吸着盤７を備え、把持部２の移動を制限した状態を示した斜視図である。
【００５５】
図５（ａ）は、本発明にかかる入浴時緊急排水具１の連結部３に移動自在の吸着盤７を備え、浴槽７０内側面に連結部３を這わせて湯面７９に把持部２を浮かべた状態を示した。
【００５６】
連結部３が紐状体である場合には、把持部２が不規則に移動するあるいは手の届きにくい位置に移動するなど緊急の事態に対応できないことがある。
前記事態を回避するために、吸着盤７の１個を上半身に近い湯面７９の高さの浴槽７０長手内側面７１に吸着させておき、把持部２の移動を制限する。
一方で紐状体は吸着盤７に対して自由に滑動できるため、排水の際に紐状体に力を加えて排水栓８１を外す動作の妨げにはならない。
これにより、把持部２は常に胸の前に留まり、緊急時には速やかに握ることができる。
また、把持部２は引くだけでなく、吸着盤７を支点として把持部２を下方に押して排水栓８１を外すことができる。力が加えやすく、引く場合と比較して容易に排水栓８１を外し排水することができる。
図５では、２個の吸着盤７を使用した実施の形態を示した。湯面７９と同じ高さに吸着した吸着盤７とは別の１個の吸着盤７を、同じ側の浴槽７０長手内側面７１であって湯面７９と浴槽底面７３の中間部付近の高さで排水栓８１に近い位置に吸着させておく。連結部３である紐状体が湯面７９下で漂い入浴の妨げにならない位置に配するためである。
吸着盤７は、浴槽７０内面から容易に外れないものを使用する。万が一、外れた場合には把持部２を長い距離引っ張る必要があり、排水栓８１が排水口８６から外れにくくなる。
その際には、後述する警報または送信手段が有効となる。
【００５７】
図５（ｂ）は、樹脂製の伸縮可能な棒状体と棒状体の先端に設けた吸着盤７からなる支持具８を使用して把持部２の移動を制限した実施の形態を示した。
【００５８】
支持具８の棒状体を伸ばして、先端部の吸着盤７を入浴者に対向する浴槽７０内面に吸着させ、支持具８の吸着盤７反対側の先端を輪形状の把持部２の手で握る側と反対外側に固定させる。このようにすれば、把持部２は手に届く位置に常に浮かんでいるばかりでなく、手で握る側が湯面７９で回転して遠く離れてしまうこともない。
把持部２が回転してしまうと握った位置により排水を行う際に効率よく力を伝えることが困難になるので、把持部２が常に同じ方向にあることがより必要となる。
伸縮可能な支持具８は伸縮自在のロッドアンテナのごとく太い棒状体の内部に細い棒状体を入れ子状にすることにより、適宜長さの調整をすることができるように構成される。使用しない場合は短く収納しておけば良い。
なお、吸着盤７の吸着力は緊急時に把持部２を把持して引っ張ったときに、浴槽７０内面から外れる程度の強さであることが好ましい。支持具８の吸着盤７が強すぎると、連結部３を引っ張って排水栓８１を外す障害になるからである。
万が一、排水栓８１が排水口８６から外れなかった場合には、後述する警報または送信手段が有効となる。
かかる支持具８は長さの調整可能なように伸縮自在となっており、対向する浴槽７０内面と連結できるような吸着盤７を有していることがより好ましいが、これに限定されるものではない。
【００５９】
図６は、本発明にかかる入浴時緊急排水具１を使用して排水栓８１を排水口８６から外す状態を示した図である。
【００６０】
鉛直上方向から排水栓８１を引っ張ると水圧により排水栓８１を外すためには大きな力が必要となる。
本実施の形態においては、浴槽底面７３の排水栓８１の側に足を置き内側面の追い焚き循環口８７に対面して着座した場合、排水栓８１を鉛直上方向から水平方向に適当な角度に傾けて力を加えることができる。
排水栓８１は、図６にも示したように排水口８６に装着した場合、通常浴槽７０外側に向かって先端が細くなっている。したがって、排水栓８１の先端が排水口８６の上部に接触することなく排水栓８１の側面の１点を支点として、テコの原理で鉛直上方向から排水栓８１を引くより少ない力で排水栓８１を排水口８６から外すことができる。
また、図５に示したように連結部３である紐状体を引き直線になった紐状体と浴槽底面７３とのなす角度が、排水栓８１が外れやすい角度になる位置に吸着盤７を取り付けて排水栓８１の取外しの確実性を高める。
【実施例１】
【００６１】
排水栓８１の取外し手段と浴室６０外部に報知する手段の２重の安全対策を有する実施例について図を参照して説明する。
図７は、警報・送信信号発生操作部２０を備えた本発明にかかる入浴時緊急排水具１の把持部２を示した図である。
図８は、把持部２に警報・送信手段を備えた本発明にかかる入浴時緊急排水具１のブロック図である。
【００６２】
警報・送信信号発生操作部２０であるスイッチを把持部２に備える。排水栓８１の取外し動作と外部報知の操作を同時に行うためである。把持部２を握りスイッチを押すことで警報あるいは送信手段が発動される。
警報あるいは送信手段を備えていれば、排水した後迅速に救護措置を取ることが可能となる。
また、何らかの理由で排水を行うことができなかった場合であっても外部報知が可能であれば、溺死に至る事態を回避できる可能性が高まる。
スイッチは把持部２輪形状内側の連結部３が結合された部分と反対側に設ける。引く動作を行う際に力が入り易い位置であり、心理上握る確率が非常に高いと考えられる位置であることが理由である。輪形状内側としたのは、輪形状外側とすると緊急時でないにもかかわらず意に反して警報あるいは送信手段が発動される可能性が高まるからである。
握った際に操作を行ったことが指の感触で理解できる機械的な接点スイッチであることが好ましい。図７（ａ）は、スイッチを操作される前の状態を示した。スイッチには防水性を有する材質のカバーを設けておく。図７（ｂ）は、把持部２を握る操作によりスイッチが押し下げられた状態を示した。
スイッチは圧電式スイッチを採用し、輪形状内側全周に設けてもよい。握る場所に関わらずスイッチ投入が可能となり、外部に緊急を報知できない状態が発生することを回避できるからである。万が一、握りはしたものの排水のための力が残っていなかった場合に有効である。
なお、警報・送信信号発生操作部２０は同等の作用を成せば、前記のスイッチに限定されるものではない。
【００６３】
図８の点線内に示したブロックを構成する電気回路は把持部２に内蔵する。その際、把持部２は防水措置を行っておく必要がある。
【００６４】
警報および送信手段を備えた把持部２は、警報・送信信号発生操作部２０、制御部２１、警報発生部２２、信号送信部２３および電源部２４から構成される。
【００６５】
警報・送信信号発生操作部２０は、前述のように入浴者が把持部２を握ることにより電気回路が作動するための信号が入力され、接点を有するスイッチなどで構成される。
【００６６】
制御部２１は、警報・送信信号発生操作部２０からの入力した信号を警報発生部２２の駆動用の信号に変換し、および、信号送信部２３に発信の指令信号を出力する電子回路を構成する。
【００６７】
警報発生部２２は、制御部２１から出力された駆動用信号で圧電ブザーなどの音声発生器を駆動し、音声を発生させて、緊急を報知する。
【００６８】
信号送信部２３は、制御部２１から出力された発信の指令信号により、発振回路にて所定の発信周波数の信号を送信する。
【００６９】
電源部２４は、各部の動作のための電源の役割を持つ。余分な配線を増やさないために電池により電源を供給することが好ましい。
【００７０】
動作フローを以下に説明する。
警報・送信信号発生操作部２０が接点スイッチである場合には、入浴者の把持動作により入力された接点信号が制御部２１に出力される。
制御部２１に入力された接点信号は、警報発生器が圧電ブザーである場合には駆動用電圧信号に変換される。さらに、信号送信部２３に発信を指令するロジック信号に変換され、出力する。
圧電ブザー駆動用電圧信号を入力した警報発生部２２では、圧電ブザーを振動させ、音に変換し出力する。
発信指令のロジック信号を入力した信号送信部２３は、予め設定された周波数に発信する発信素子から構成された発振回路を駆動し発信が行われ電波送信を開始する。
【００７１】
以下に図８に示した受信報知装置９０を説明する。
受信報知装置９０は、信号受信部９１、制御部９２、報知部９３および電源部９４から構成される。
受信報知装置９０は、浴室６０外部に置かれて、入浴者以外の人間に報知するために働く。
信号受信部９１は、把持部２に備えられた信号送信部２３から送信された電波信号を受信するアンテナとして働き、信号を受信した際に出力信号を生成し、制御部９２に出力する。
制御部９２は、信号受信部９１から入力した信号により、報知部９３に各々の報知手段に応じた信号に変換し、出力する。
報知部９３では、制御部９２より入力した信号により、例えば、報知手段が画面表示の場合には、緊急を報知する表示画像を作成し、表示を行う。また、報知手段が音声の場合には、警報発生部２２と同様の動作を行わせる。
報知部９３では、さらに、ＬＡＮ経由でインターネットを介して、あるいは、電話回線を通じて外部に通報する手段を備えることも可能である。
電源部９４は、各部の動作のための電源の役割を持つ。
【産業上の利用可能性】
【００７２】
一般家庭のみならず、病院あるいは介護施設においても利用可能である。
【符号の説明】
【００７３】
１  入浴時緊急排水具
２  把持部
３  連結部
４  結合部
５  開閉軸
６  開閉つまみ
７  吸着盤
８  支持具
２０  警報・送信信号発生操作部
２１  制御部
２２  警報発生部
２３  信号送信部
２４  電源部
６０  浴室
７０  浴槽
７１  長手内側面
７２  短手内側面
７３  底面
７９  湯面
８１  排水栓
８２  連結鎖
８３  固定具
８４  連結鎖結合具
８５  結合穴
８６  排水口
８７  追い焚き循環口
９０  受信報知装置
９１  信号受信部
９２  制御部
９３  報知部
９４  電源部
【図１】
2015200060.tif 000003
【図２】
2015200060.tif 000004
【図３】
2015200060.tif 000005
【図４】
2015200060.tif 000006
【図５】
2015200060.tif 000007
【図６】
2015200060.tif 000008
【図７】
2015200060.tif 000009
【図８】
2015200060.tif 000010